(57)【要約】【課題】映像再生装置から通知される設定情報によらず映像再生装置を特定することができる映像情報出力装置及び映像再生装置特定方法を提供すること【解決手段】本発明にかかる映像情報出力装置１０は、映像情報を映像再生装置２０へ出力する。映像情報出力装置１０と映像再生装置２０とが接続された際に生じる第１の固有信号パターンを抽出する信号パターン抽出部１３と、映像再生装置２０に対応づけられる第２の固有信号パターンを複数格納する格納部１２と、第１の固有信号パターンと第２の固有信号パターンとを比較し、映像情報出力装置１０に接続されている映像再生装置を特定する信号パターン比較部１４と、第１の固有信号パターンに一致する第２の固有信号パターンに対応付けられた映像再生装置２０の設定情報を特定する設定情報特定部１５と、を備えるものである。【選択図】図１
2011142540.tif 000002
【特許請求の範囲】
【請求項１】
映像情報を映像再生装置へ出力する映像情報出力装置であって、
前記映像情報出力装置と前記映像再生装置とが接続された際に生じる第１の固有信号パターンを抽出する信号パターン抽出部と、
映像再生装置に対応づけられる第２の固有信号パターンを複数格納する格納部と、
前記第１の固有信号パターンと前記第２の固有信号パターンとを比較し、前記映像情報出力装置に接続されている映像再生装置を特定する信号パターン比較部と、
前記第１の固有信号パターンに一致する前記第２の固有信号パターンに対応付けられた映像再生装置の設定情報を特定する設定情報特定部と、を備える映像情報出力装置。
【請求項２】
前記第１の固有信号パターンは、前記映像情報出力装置と前記映像再生装置とが接続された際に当該映像再生装置から通知される信号のレベル変動を含む、請求項１記載の映像情報出力装置。
【請求項３】
前記第１の固有信号パターンが、前記複数の第２の固有信号パターンのうちいずれの信号パターンとも一致しない場合、
前記信号パターン比較部は、前記第１の固有信号パターンを前記信号パターン格納部へ格納する、請求項１又は２に記載の映像情報出力装置。
【請求項４】
前記第１の固有信号パターンは、前記映像情報出力装置と前記映像再生装置とがＨＤＭＩケーブルによって接続されている状態か否かを示すＨＰＤ信号と、前記映像再生装置が電源投入状態であることを示すＲＳＥＮ信号との変動の組み合わせである請求項１〜３のいずれか１項に記載の映像情報出力装置。
【請求項５】
前記ＨＰＤ信号と前記ＲＳＥＮ信号とは、
オン状態とオフ状態とを繰り返す変動期間を経て、ともにオン状態に安定する安定期間へ遷移するものであり、
前記第１の固有信号パターンは、前記変動期間におけるＨＰＤ信号と前記ＲＳＥＮ信号とのオン状態とオフ状態とを繰り返す動作パターンにより定まる、請求項４に記載の映像情報出力装置。
【請求項６】
前記映像再生装置に映像情報を再生させる際に必要な設定情報を取得する情報取得部をさらに備え、
前記設定情報特定部は、前記信号パターン比較部における比較結果に基づいて定まる設定情報と、前記情報取得部により取得された設定情報とのいずれかの設定情報を、前記映像情報を再生するために必要な設定情報として特定する請求項１〜５のいずれか１項に記載の映像情報出力装置。
【請求項７】
前記設定情報特定部は、
前記第１の固有信号パターンが、前記第２の固有信号パターンのうちいずれの信号パターンとも一致しない場合、前記情報取得部において取得された設定情報を用い、
前記第１の固有の信号パターンが、前記第２の固有の信号パターンのうちいずれかの信号パターンと一致する場合、前記信号パターン比較部における比較結果に基づいて定まる設定情報を用いる、請求項６記載の映像情報出力装置。
【請求項８】
映像情報を送信する映像情報出力装置に接続されている映像再生装置を特定する映像再生装置特定方法であって、
前記映像情報出力装置と前記映像再生装置とが接続された際に生じる第１の固有信号パターンを抽出し、
前記第１の固有信号パターンと、映像再生装置に対応づけられる第２の固有信号パターンを複数格納している格納部における当該第２の固有信号パターンとを比較し、
前記比較した結果に基づいて前記映像情報出力装置に接続されている映像再生装置を特定し、
前記第１の固有信号パターンに一致する前記第２の固有信号パターンに対応付けられた映像再生装置の設定情報を特定する設定情報特定部と、を備える映像再生装置特定方法。
【発明の詳細な説明】
【技術分野】
【０００１】
本発明は映像情報出力装置及び映像再生装置特定方法に関し、特に接続時に接続先装置を特定する映像情報出力装置及び映像再生装置特定方法に関する。
【背景技術】
【０００２】
近年デジタルＡＶ(Audio & Visual)機器同士の接続は、ＨＤＭＩ(High Definition Multimedia Interface)ケーブルを用いることが主流と成っている。ＨＤＭＩケーブルを流れるデジタルＡＶデータは、著作権保護のためＨＤＣＰ(High bandwidth Digital Content Protection)制御により暗号化される。また、ＡＶ機器同士は、ＨＤＣＰ制御により相互接続認証される。これにより、デジタルＡＶデータの使用に関して、不正使用の防止を実現している。これらＨＤＭＩケーブルによるデジタルＡＶデータの情報伝達制御と、ＨＤＣＰ制御による暗号化および相互接続認証とについては、それぞれ規格により制御方法が定められている。
【０００３】
上述した規格においては、機能を実現する上である程度の自由度が認められている。それ故、接続機器同士の設計によっては、お互いに規格に則っていても接続できない、または接続が不安定となることがある。これを回避するために、ＤＶＤ（Digital Versatile Disk）プレーヤー等の送信機器側は、テレビジョン装置等の受信機器側が持つＥＤＩＤ(Extended Display Identification Data)という表示識別データを予め読出し、さらに、受信機器の固有機器名及び種別等を判断する。これにより、送信機器側は、受信機器に適したパラメータ設定を行うことにより確実にＨＤＣＰ認証制御を実行し、かつ、受信機器と安定して接続できる。
【０００４】
特許文献１には、送信機装置がＥＤＩＤデータを取得するための構成が開示されている。図５において、送信装置１００と受信装置２００とは、ＨＤＭＩケーブルを介して接続され、ＴＭＤＳ方式のシリアル伝送により、データの送受信を実行している。送信制御部１２０と受信制御部２２０と、受信側情報メモリ２３０とは、ＨＤＭＩケーブルにおける低速バス（ＤＤＣ（Display Data Channel）バス）３００により接続されている。送信制御部１２０は、低速バス３００を介して、受信側情報メモリ２３０に格納されているＥＤＩＤ情報を取得する。ＥＤＩＤ情報により、受信装置において表示可能な解像度情報等を特定することができる。ＨＤＭＩ送信部１１０は、ＨＤＭＩケーブルを介して、ビデオデータ、オーディオデータ等をＨＤＭＩ受信部２１０へ送信する。ＨＤＭＩ送信部１１０は、あらかじめ取得したＥＤＩＤ情報を用いて、ビデオデータ等を変換してＨＤＭＩ受信部２１０へ送信する。
【０００５】
特許文献２には、送信機器の電源がオフされた場合においても、接続されているＡＶ機器との認証済み情報を記憶する手段を設ける構成が開示されている。これにより、電源がオンされた時に、記憶手段に記憶された認証済み情報を用いることができる。これにより、送信機器の電源をオフしてから再度オンする場合に要する起動時間を短縮することができる。
【先行技術文献】
【特許文献】
【０００６】
【特許文献１】特開２００８−２５８６９７号公報
【特許文献２】特開２００９−１３５８０３号公報
【発明の概要】
【発明が解決しようとする課題】
【０００７】
しかし、特許文献１における送信機器は、受信機器が持つＥＤＩＤデータの読み出しに失敗した場合や受信機器がＥＤＩＤデータを保持もしくは設定していない場合、受信機器の機種等を特定することができない。そのため、送信機器は、受信機器におけるデータ再生に適したパラメータ設定を行うことができない。さらに、送信機器がＥＤＩＤデータを取得できない状態においてＨＤＭＩケーブルを用いてＡＶ機器同士を接続した場合に、接続状態が不安定となる問題がある。特許文献２にも、このような問題に対する解決法は記載されていない。
【課題を解決するための手段】
【０００８】
本発明の第１の態様にかかる映像情報出力装置は、映像情報を映像再生装置へ出力する映像情報出力装置であって、前記映像情報出力装置と前記映像再生装置とが接続された際に生じる第１の固有信号パターンを抽出する信号パターン抽出部と、映像再生装置に対応づけられる第２の固有信号パターンを複数格納する格納部と、前記第１の固有信号パターンと前記第２の固有信号パターンとを比較し、前記映像情報出力装置に接続されている映像再生装置を特定する信号パターン比較部と、前記第１の固有信号パターンに一致する前記第２の固有信号パターンに対応付けられた映像再生装置の設定情報を特定する設定情報特定部と、を備えるものである。
【０００９】
このような映像情報出力装置を用いることにより、映像再生装置から識別情報を取得することなく当該映像再生装置を特定し、当該映像再生装置において再生するために必要な設定情報を特定することができる。
【００１０】
本発明の第２の態様にかかる映像再生装置特定方法は、映像情報を送信する映像情報出力装置に接続されている映像再生装置を特定する映像再生装置特定方法であって、前記映像情報出力装置と前記映像再生装置とが接続された際に生じる第１の固有信号パターンを抽出し、前記第１の固有信号パターンと、映像再生装置に対応づけられる第２の固有信号パターンを複数格納している格納部における当該第２の固有信号パターンとを比較し、前記比較した結果に基づいて前記映像情報出力装置に接続されている映像再生装置を特定し、前記第１の固有信号パターンに一致する前記第２の固有信号パターンに対応付けられた映像再生装置の設定情報を特定する設定情報特定部と、を備えるものである。
【００１１】
このような映像再生装置特定方法を用いることにより、映像再生装置から識別情報を取得することなく当該映像再生装置を特定し、当該映像再生装置において再生するために必要な設定情報を特定することができる。
【発明の効果】
【００１２】
本発明により、映像再生装置から通知される設定情報によらず映像再生装置を特定することができる映像情報出力装置及び映像再生装置特定方法を提供することができる。
【図面の簡単な説明】
【００１３】
【図１】実施の形態１にかかる映像情報出力装置及び映像再生装置の構成図である。
【図２】実施の形態１にかかる固有信号パターンの認識方法の図である。
【図３】実施の形態１にかかる映像再生装置の特定に関する処理の流れの図である。
【図４】実施の形態２にかかる固有信号パターンの認識方法の図である。
【図５】特許文献１における送信機器と受信機器との構成図である。
【発明を実施するための形態】
【００１４】
（実施の形態１）
以下、図面を参照して本発明の実施の形態について説明する。図１を用いて本発明の実施の形態１にかかる映像情報出力装置及び映像再生装置の構成例について説明する。映像情報出力装置１０と映像再生装置２０とは、ＨＤＭＩケーブル３０を介して接続される。映像情報出力装置１０は、ＨＤＭＩ送信部１１と、信号パターン格納部１２と、信号パターン抽出部１３と、信号パターン比較部１４と、設定情報特定部１５と、認証部１６と、情報取得部１７と、を備えている。映像再生装置２０は、ＨＤＭＩ受信部２１と、ＥＤＩＤデータ格納部２２と、ＨＤＭＩ／ＨＤＣＰ制御部２３と、表示部２４と、を備えている。
【００１５】
次に、映像再生装置２０の構成について説明する。ＨＤＭＩ受信部２１は、ＨＤＭＩ送信部１１から送信される映像情報を受信する。ＨＤＭＩ受信部２１が受信した映像情報は、表示部２４において再生される。
【００１６】
ＥＤＩＤデータ格納部２２は、映像再生装置２０のＥＤＩＤデータを格納している。ＥＤＩＤデータには、映像再生装置２０において再生可能な解像度情報や、同期周波数の情報、ピクセルクロックに関する情報等が含まれる。
【００１７】
ＨＤＭＩ／ＨＤＣＰ制御部２３は、ＨＰＤ（Hot Plug Detect）信号を、ＤＤＣバス３１を介して映像情報出力装置１０へ出力する。ＨＰＤ信号は、映像情報出力装置１０と映像再生装置２０とがＨＤＭＩケーブルによって接続されているかどうかを示す信号である。さらに、ＨＤＭＩ／ＨＤＣＰ制御部２３は、ＥＤＩＤデータ格納部２２からＥＤＩＤデータを取得し、ＤＤＣバス３１を介して映像情報出力装置１０へ出力する。
【００１８】
次に、映像情報出力装置１０の構成について説明する。
【００１９】
信号パターン抽出部１３は、映像再生装置２０内のＨＤＭＩ／ＨＤＣＰ制御部２３とＤＤＣバス３１を介して接続されている。信号パターン抽出部１３は、映像情報出力装置１０と映像再生装置２０とが接続された際に生じる固有の信号パターンを、ＤＤＣバス３１を介して抽出する。固有の信号パターンは、映像情報出力装置１０と映像再生装置２０とを接続した際に、接続状態をオン及びオフ信号にて示す信号の変動パターンである。ＤＤＣバス３１を介して抽出する固有の信号パターンの一例が、上述のＨＰＤ信号である。
【００２０】
映像再生装置におけるＨＰＤ信号の生成及び出力に至る処理は、標準化された処理ではなく、映像再生装置毎に異なる。このように映像再生装置毎に異なる内部処理に起因して、映像情報出力装置が取得するＨＰＤ信号の信号パターンも映像再生装置毎に異なる。具体的には、ＨＰＤ信号において映像情報出力装置と映像再生装置との接続状態を示すオン状態が安定化するまでの信号パターンが、映像再生装置ごとに異なる。これにより、ＨＰＤ信号の信号パターンは、映像再生装置毎に固有となる。
【００２１】
また、固有の信号パターンは、ＨＤＭＩ送信部１１から通知されるＲＳＥＮ（Receiver Sense）信号であってもよい。ＲＳＥＮ信号は、映像再生装置２０が電源投入状態にあるか否か、を示す信号である。
【００２２】
映像再生装置２０の電源が投入された後に実行される映像再生装置２０のハードウェア又はソフトウェア等の起動処理は、映像再生装置毎に異なる。このように映像再生装置毎の起動処理における異なる内部処理に起因して、映像情報出力装置と映像再生装置２０との間に設定されるＴＭＤＳチャンネルの状態変化等も映像再生装置毎に異なる。そのため、ＨＤＭＩ送信部１１において生成されるＲＳＥＮ信号の信号パターンも映像再生装置毎に異なる。具体的には、ＲＳＥＮ信号において映像再生装置の電源投入状態を示すオン状態が安定化するまでの信号パターンが、映像再生装置毎に異なる。これにより、ＲＳＥＮ信号の信号パターンは、映像再生装置毎に固有となる。
【００２３】
信号パターン格納部１２は、複数の映像再生装置それぞれが有する固有の信号パターンを格納する。信号パターン格納部１２は、映像再生装置とその映像再生装置の固有の信号パターンとを対応付けて記憶している。例えば、固有の信号パターンは、映像再生装置の製品名又は型番と対応付けられる。固有の信号パターンは、予め複数の映像再生装置と映像情報出力装置との接続試験等を実施し、それにより得られた信号パターンを、信号パターン格納部１２へ格納してもよい。もしくは、映像情報出力装置が映像再生装置と接続されるたびに取得する信号パターンを信号パターン格納部１２へ格納してもよい。また、信号パターン格納部１２は、映像情報出力装置１０内のメモリに設けられてもよく、映像情報出力装置１０の外部に設ける外部記憶装置であってもよい。
【００２４】
信号パターン比較部１４は、信号パターン抽出部１３によって抽出された信号パターンと（以下、「抽出信号パターン」という）、信号パターン格納部１２に格納されている信号パターンと（以下、「参照信号パターン」という）を比較する。抽出信号パターンに一致する参照信号パターンが、信号パターン格納部１２に格納されている場合、信号パターン比較部１４は、接続されている映像再生装置２０を特定することができる。信号パターン比較部１４は、特定した映像再生装置２０の情報を設定情報特定部１５へ出力する。
【００２５】
設定情報特定部１５は、信号パターン比較部１４から入力された映像再生装置２０に対応する設定情報を特定する。設定情報は、映像情報出力装置１０に接続された映像再生装置２０において映像を再生するために必要な情報とＨＤＣＰ制御において相互認証等に必要な情報とを含む。たとえば、設定情報は、映像再生装置２０において再生可能な解像度情報や、同期周波数の情報、ピクセルクロックに関する情報等が設定情報に含まれる。設定情報特定部１５が、映像再生装置と、その映像再生装置における設定情報とを関連付けたデータベースを保持してもよく、映像情報出力装置１０内の他のメモリもしくは外部装置が当該データベースを保持してもよい。設定情報特定部１５は、特定した設定情報をＨＤＭＩ送信部１１へ出力する。また、情報取得部１７は、ＤＤＣバス３１を介してＨＤＭＩ／ＨＤＣＰ制御部２３より、ＥＤＩＤデータを取得する。設定情報特定部１５は、情報取得部１７がＨＤＭＩ／ＨＤＣＰ制御部２３から取得するＥＤＩＤデータを用いて、設定情報を特定してもよい。
【００２６】
認証部１６は、設定情報特定部１５において特定された設定情報を用い、ＤＤＣバス３１を介してＨＤＣＰ制御による相互接続認証を実行する。
【００２７】
ＨＤＭＩ送信部１１は、ＤＶＤ等の記録媒体（図示しない）から読み出した映像情報を、設定情報特定部１５から入力された設定情報に基づいて変換し、映像再生装置２０内のＨＤＭＩ受信部２１へ送信する。ＨＤＭＩ送信部１１とＨＤＭＩ受信部２１との間は、ＴＭＤＳ方式によりデータの送受信が行われる。ＴＭＤＳ方式は、ＲＧＢの３種類の色信号とクロック周波数の同期信号にそれぞれチャンネルを割り当て、データの送受信を行う方式である。ＲＧＢの３種類の色信号に割り当てられるチャンネルは、ＴＭＤＳチャンネル０〜２であり、クロック周波数の同期信号に割り当てられるチャンネルは、ＴＭＤＳクロックチャンネルである。
【００２８】
また、ＨＤＭＩ送信部１１は、ＴＤＭＳチャンネルが正常に動作しているか否かを判断することにより、映像再生装置２０が電源投入状態であるか否かを示すＲＳＥＮ信号を信号パターン抽出部１３へ出力する。
【００２９】
続いて、図２を用いて本発明の実施の形態１にかかる固有信号パターンの認識方法について説明する。図２には、ＲＳＥＮ信号とＨＰＤ信号との信号パターンが示されている。ＲＳＥＮ信号とＨＰＤ信号とは、オン状態とオフ状態の２つの状態を取り得る。ＲＳＥＮ信号とＨＰＤ信号とが、ともにオン状態により安定している期間を安定期間とする。また、ＲＳＥＮ信号とＨＰＤ信号とが、オン状態とオフ状態とを繰り返す期間を信号パターン認識期間とする。信号パターン認識期間は、ＲＳＥＮ信号とＨＰＤ信号とが、ともにオン状態となった時から開始される。ＲＳＥＮ信号とＨＰＤ信号とは、信号パターン認識期間を経て安定期間へ遷移する。
【００３０】
信号パターン抽出部１３は、信号パターン認識期間が開始されると、予め設定されたタイミング毎にＲＳＥＮ信号とＨＰＤ信号との信号レベルを取得するためのサンプリング用タイマを起動させる。信号パターン抽出部１３は、サンプリング用タイマに設定した時間が経過するごとに、ＨＰＤ信号とＲＳＥＮ信号の信号レベルを取得する。たとえば、あるタイミングにおいてＲＳＥＮ信号とＨＰＤ信号とが共にオン状態である場合には、「１、１」とする信号レベルを取得する。ＲＳＥＮ信号とＨＰＤ信号とが共にオフ状態である場合には、「０、０」とする信号レベルを取得する。ＲＳＥＮ信号がオン状態であり、ＨＰＤ信号がオフ状態である場合には、「１、０」とする信号レベルを取得する。
【００３１】
信号パターン認識期間内において各タイミングにおける信号レベルは、映像再生装置２０に関する認識パターン（抽出信号パターン）データとして信号パターン抽出部１３に記録される。信号パターン抽出部１３は、記録した抽出信号パターンデータを信号パターン比較部１４へ出力する。もしくは、信号パターン抽出部１３は、信号レベルを取得する毎に信号パターン比較部１４へ信号レベルを出力してもよい。信号パターン比較部１４は、信号パターン抽出部１３から取得した抽出信号パターンデータと、信号パターン格納部１２に格納されている参照信号パターンとを比較する。
【００３２】
続いて、図３を用いて本発明の実施の形態１にかかる映像再生装置の特定に関する処理の流れについて説明する。はじめに、信号パターン抽出部１３は、ＨＤＣＰ認証制御可能条件が成立しているか否かを判定する（Ｓ１１）。ＲＳＥＮ信号及びＨＰＤ信号が共にオン状態を示している場合に、ＨＤＣＰ認証制御可能条件が成立していると判定する。ＨＤＣＰ認証制御可能条件が成立していない場合、再度ステップＳ１１の処理を実行する。ＨＤＣＰ認証制御可能条件が成立している場合、信号パターン抽出部１３は、ＨＰＤ信号及びＲＳＥＮ信号の信号パターン認識処理を開始する（Ｓ１２）。信号パターン抽出部１３は、ＨＰＤ信号及びＲＳＥＮ信号の信号レベルを取得し、映像再生装置２０に関する抽出信号パターンデータを生成する。
【００３３】
次に、信号パターン抽出部１３は、ＨＰＤ信号及びＲＳＥＮ信号が安定状態に遷移しているか否かを判定する（Ｓ１３）。ＨＰＤ信号及びＲＳＥＮ信号が安定状態に遷移しているか否かは、例えば、ＨＰＤ信号及びＲＳＥＮ信号が共にオン状態となる信号レベルを一定回数以上連続して取得した場合に安定状態に遷移していると判定してもよい。もしくは、信号パターン認識期間の始まりから一定時間が経過している場合は安定状態に遷移していると判定してもよい。この場合、一定時間とは、一般的に安定状態に遷移するであろうと想定される時間を超える十分に長い時間を設定する必要がある。信号パターン抽出部１３は、ＨＰＤ信号及びＲＳＥＮ信号が安定状態に遷移していないと判定した場合、再度ステップＳ１３の処理を実行する。信号パターン抽出部１３は、ＨＰＤ信号及びＲＳＥＮ信号が安定状態に遷移していると判定した場合、ＨＰＤ信号及びＲＳＥＮ信号の信号パターン認識処理を終了する（Ｓ１４）。
【００３４】
次に、信号パターン比較部１４は、信号パターン格納部１２に格納されている参照信号パターンデータと、信号パターン抽出部１３において抽出された抽出信号パターンデータとを比較する（Ｓ１５）。参照信号パターンの中に、抽出信号パターンデータと一致する信号パターンがある場合、信号パターン比較部１４は、一致した信号パターンに対応付けられている映像再生装置の情報から、接続されている映像再生装置を特定することができる（Ｓ１７）。参照信号パターンの中に、抽出信号パターンデータと一致する信号パターンがない場合、抽出信号パターンデータを信号パターン格納部１２へ登録する（Ｓ１８）。
【００３５】
ステップＳ１８の後、設定情報特定部１５は、映像再生装置２０からＥＤＩＤデータを取得しているかを判定する（Ｓ１９）。ＥＤＩＤデータを取得している場合、ＥＤＩＤデータに設定されている情報から、接続されている映像再生装置を特定する（Ｓ２０）。ステップＳ１７もしくはステップＳ２０において、接続されている映像再生装置を特定した場合、ＨＤＭＩ送信部１１は、特定された映像再生装置に対応したパラメータを用いてデータの送信を行う（Ｓ２１）。これにより、最適条件に設定されたデータを用いて映像再生装置２０において再生をすることができる。ステップＳ１９において、設定情報特定部１５は、ＥＤＩＤデータを取得していないと判定した場合、接続されている映像再生装置とはＨＤＭＩケーブルによる接続はできないとして処理を終了する（Ｓ２２）。また、ステップＳ２２において、接続はできないと判断するのではなく、あらかじめ定めた解像度情報等により映像情報を設定して映像再生装置２０へ送信してもよい。
【００３６】
以上説明したように、本発明の実施の形態１にかかる映像情報出力装置及び映像再生装置を用いることにより、映像情報出力装置と映像再生装置とを接続した場合に生じる固有の信号パターンを抽出することができる。これにより、映像情報出力装置はＥＤＩＤデータを用いることなく、接続されている映像再生装置を特定することができる。
【００３７】
ＨＰＤ信号もしくはＲＳＥＮ信号の信号パターンは、映像再生装置の設定に依存するＥＤＩＤデータ等と異なり、必ず発生する。つまり、ＥＤＩＤデータもしくは、その他識別情報等は、映像再生装置を製造等する時に、もしくは装置運用時に設定されなければ映像情報出力装置は、それらの情報を取得することはできない。これに対して、ＨＰＤ信号は、映像情報出力装置と映像再生装置２０との間においてＨＤＣＰ制御を実行するために必須の信号である。また、ＲＳＥＮ信号は、映像情報出力装置内部で発生させる信号である。そのため、ＨＰＤ信号及びＲＳＥＮ信号における信号パターンは、映像再生装置の設定等によらず必ず取得することができる。そのため、固有の信号パターンを用いることにより、映像再生装置の設定等に依存せずに、接続装置を特定することができる。
【００３８】
（実施の形態２）
続いて、図４を用いて本発明の実施の形態２にかかる固有信号パターンの認識方法について説明する。図４には、図２と同様に、ＲＳＥＮ信号とＨＰＤ信号との信号パターンが示されている。また、信号パターン認識期間と安定期間に関しても、図２と同様であるため説明を省略する。
【００３９】
信号パターン抽出部１３は、ＲＳＥＮ信号とＨＰＤ信号とが共にオン状態になった時点を信号パターン認識開始時期として、ＲＳＥＮ信号用タイマ（Ａ）と、ＨＰＤ信号用タイマ（Ｂ）とをスタートさせる。
【００４０】
信号パターン抽出部１３は、立下がりエッジもしくは立上がりエッジ割り込み発生を検知した場合、信号名と、信号レベルと、信号レベル継続時間と、を認識パターンデータとして記録する。信号名は、ＲＳＥＮ信号であれば「Ｒ」とし、ＨＰＤ信号であれば「Ｈ」とする。信号レベルは、立下がりエッジ割り込み発生を検知した場合「１」とし、立上がりエッジ割り込み発生を検知した場合「０」とする。信号レベル継続時間は、ＲＳＥＮ信号に関する時間であれば「Ａ〜」とし、ＨＰＤ信号に関する時間であれば「Ｂ〜」とする。
【００４１】
信号パターン抽出部１３は、ＲＳＥＮ信号の立下がりエッジ割り込み発生を、信号パターン認識開始時期からＡ１ｍｓｅｃ後に検知した場合、「Ｒ−１−Ａ１」を認識パターンデータとして記録する。この時ＲＳＥＮ信号用タイマ（Ａ）をリセットし、再度スタートさせる。ＲＳＥＮ信号用タイマ（Ａ）を再スタートしてからＡ２ｍｓｅｃ後にＲＳＥＮ信号の立上がりエッジ割り込み発生を検知した場合、「Ｒ−０−Ａ２」を認識パターンデータとして記録する。この時ＲＳＥＮ信号用タイマ（Ａ）をリセットし、再度スタートさせる。
【００４２】
また、信号パターン抽出部１３は、ＨＰＤ信号の立下がりエッジ割り込み発生を、信号パターン認識開始時期からＢ１ｍｓｅｃ後に検知した場合、「Ｈ−１−Ｂ１」を認識パターンデータとして記録する。この時、ＨＰＤ信号用タイマ（Ｂ）をリセットし、再度スタートさせる。ＨＰＤ信号用タイマ（Ｂ）を再スタートしてからＢ２ｍｓｅｃ後にＨＰＤ信号の立上がりエッジ割り込み発生を検知した場合、「Ｈ−０−Ｂ２」を認識パターンデータとして記録する。この時、ＨＰＤ信号用タイマ（Ｂ）をリセットし、再度スタートさせる。信号パターン抽出部１３は、安定状態を検出した場合の認識パターンデータを記録し、信号パターン認識処理を終了する。図４においては、安定状態を検出した場合の認識パターンデータは、「Ｒ−１−Ａ３ｍｓｅｃ」と「Ｈ−１−Ｂ５ｍｓｅｃ」とを記録している。
【００４３】
以上説明したように、本発明の実施の形態２にかかる固有信号パターンの認識方法を用いることにより、実施の形態１と比較して、認識パターンデータの取得頻度を減少させて、固有信号パターンを認識することができる。これにより、信号パターン抽出部１３における処理負荷を軽減させることができる。
【００４４】
なお、本発明は上記実施の形態に限られたものではなく、趣旨を逸脱しない範囲で適宜変更することが可能である。
【符号の説明】
【００４５】
１０  映像情報出力装置
１１  ＨＤＭＩ送信部
１２  信号パターン格納部
１３  信号パターン抽出部
１４  信号パターン比較部
１５  設定情報特定部
１６  認証部
１７  情報取得部
２０  映像再生装置
２１  ＨＤＭＩ受信部
２２  ＥＤＩＤデータ格納部
２３  ＨＤＭＩ／ＨＤＣＰ制御部
２４  表示部
３０  ＨＤＭＩケーブル
３１  ＤＤＣバス
【図１】
2011142540.tif 000003
【図２】
2011142540.tif 000004
【図３】
2011142540.tif 000005
【図４】
2011142540.tif 000006
【図５】
2011142540.tif 000007